(57)【要約】      （修正有）【課題】シャーシ内サーバの各種線路の取り付け、取り外し、及び組立ての利便を図るスライドレールキット、および、当該スライドレールキットを用いるラックを提供する。【解決手段】内レール２０は、外レール１９に移動可能に設けられ、上壁２２ａ、下壁２２ｂ、上壁２２ａと下壁２２ｂとの間を連接する側壁２４を有する。固定部は、互いに接続している第一取付孔および固定孔を有し、第一取付孔が固定孔の内径より大きい内径を有する。スライド部は、互いに接続する第二取付孔およびスライド溝を有する。第一定位部材は、内レール２０の側壁２４に設けられ、内レール２０の固定部に対応する。第一シャーシ３０の固定部材が固定部の第一取付孔を貫通して固定孔まで移動し、第二シャーシ３２のスライド部材がスライド部の第二取付孔を貫通してスライド溝まで移動する時、第一定位部材は、第一シャーシ３０の固定部材が固定孔からの離脱を抑制する。【選択図】図１
0003188394.tif 000002
【実用新案登録請求の範囲】
【請求項１】
第一シャーシと第二シャーシを有し、前記第一シャーシに固定部材が設けられており、前記第二シャーシにスライド部材が設けられているラックのシャーシに取り付けられているスライドレールキットであって、
外レールと、内レールと、第一定位部材と、を備え、
前記内レールは、前記外レールに移動可能に設けられており、上壁、下壁、および、前記上壁と前記下壁との間を連接する側壁を有し、前記側壁に少なくとも一つの固定部および少なくとも一つのスライド部が設けられており、
前記固定部は、互いに接続している第一取付孔および固定孔を有し、前記第一取付孔が前記固定孔の内径より大きい内径を有しており、
前記スライド部は、互いに接続している第二取付孔およびスライド溝を有し、前記第二取付孔が前記スライド溝の間隔より大きい内径を有しており、
前記第一定位部材は、前記内レールの前記側壁に設けられており、前記内レールの前記固定部に対応しており、
前記第一シャーシの前記固定部材が前記固定部の前記第一取付孔を貫通して前記固定孔まで移動し、前記第二シャーシの前記スライド部材が前記スライド部の前記第二取付孔を貫通して前記スライド溝まで移動するとき、前記第一定位部材は、前記第一シャーシの前記固定部材が前記固定孔から離脱することが抑制することを特徴とするスライドレールキット。
【請求項２】
前記第一定位部材は、弾性段と嵌合押圧部とを有し、
前記嵌合押圧部は、前記弾性段に連接し、前記固定部の前記第一取付孔をカバーすることを特徴とする請求項１に記載のスライドレールキット。
【請求項３】
外レール、内レール、および第一定位部材を備えるスライドレールキットであって、
前記外レールは、上壁、下壁、および、前記上壁と前記下壁とを連接する側壁を有しており、
前記内レールは、前記外レールに移動可能に連接されており、上壁、下壁、および、前記上壁と前記下壁とを連接する側壁を有し、前記側壁に少なくとも一つの固定部おとび少なくとも一つのスライド部が設けられており、
前記固定部は、互いに接続している第一取付孔および固定孔を有し、前記第一取付孔が前記固定孔の内径より大きい内径を有しており、
前記スライド部は、互いに接続している第二取付孔およびスライド溝を有し、前記第二取付孔が前記スライド溝の間隔より大きい内径を有しており、前記スライド溝が前記固定孔の長さより大きい長さを有しており、
前記第一定位部材は、前記内レールの前記側壁に設けられており、弾性段と嵌合押圧部とを有し、前記弾性段が前記嵌合押圧部に連接し、前記嵌合押圧部が前記第一取付孔をカバーすることを特徴とするスライドレールキット。
【請求項４】
前記外レールと前記内レールとの間に移動可能に連接されている中レールを更に備え、
前記中レールにより、前記外レールに対して前記内レールを更に長く引き出すことが可能であることを特徴とする請求項３に記載のスライドレールキット。
【請求項５】
本体、第一スライドレールキット、第二スライドレールキット、及びシャーシを備えるラックであって、
前記本体は、第一支持柱、第二支持柱、第三支持柱、及び第四支持柱を有しており、
前記第一スライドレールキットは、前記第一支持柱と前記第二支持柱との間に取り付けられており、
前記第二スライドレールキットは、前記第三支持柱と前記第四支持柱との間に取り付けられており、
前記第一スライドレールキットおよび前記第二スライドレールキットは、外レール、当該外レールに移動可能に設けられている内レールを有し、前記内レールが、前記外レールに対して伸縮可能であり、少なくとも一つの固定部および少なくとも一つのスライド部を有し、
前記シャーシは、前記第一スライドレールキットと前記第二スライドレールキットとの間に設けられており、第一シャーシおよび第二シャーシを有し、
前記第一シャーシは、前記内レールの前記固定部を取り付け可能な固定部材を有し、
前記第二シャーシは、前記内レールの前記スライド部を移動可能に支持可能なスライド部材を有し、
第二シャーシは、対応する第一シャーシと離間可能であることを特徴とするラック。
【請求項６】
前記固定部は、互いに連通している第一取付孔および固定孔を有し、
前記第一取付孔は、前記固定孔の内径より大きい内径を有することを特徴とする請求項５に記載のラック。
【請求項７】
前記スライド部は、互いに連通している第二取付孔およびスライド溝とを有し、
前記第二取付孔は、前記スライド溝の間隔より大きい内径を有することを特徴とする請求項５に記載のラック。
【請求項８】
前記内レールに設けられている第一定位部材を更に備え、
前記第一定位部材は、弾性段と嵌合押圧部を有し、
前記嵌合押圧部は、前記弾性段に連接されており、前記固定部の前記第一取付孔をカバーすることを特徴とする請求項６に記載のラック。
【請求項９】
前記スライド部は、係止部を有し、
前記第二シャーシと前記第一シャーシとの間の距離が所定距離に達したとき、前記スライド部材が前記係止部に係止されることを特徴とする請求項５に記載のラック。
【考案の詳細な説明】
【技術分野】
【０００１】
本考案は、スライドレールキット、および当該スライドレールキットを用いるラックに関する。
【背景技術】
【０００２】
従来、コンピュータシステム機器中のサーバはラックに置かれている。ラックは、サーバのシャーシ（ｃｈａｓｓｉｓ）両側にスライドレールが取り付けられ、ブラケットがスライドレールに取り付けられている。ブラケットにより、サーバはラック（ｒａｃｋ）に設置されている。シャーシをラックから引き出すことで、サーバの検視或いはメンテナンスを行う。
【０００３】
サーバ用のラックは、特許文献１〜４等に既に公開されている。
【先行技術文献】
【特許文献】
【０００４】
【特許文献１】米国特許第Ｕ．Ｓ．  ７，１３７，５１２号明細書
【特許文献２】米国特許第Ｕ．Ｓ．  ６，５７４，１００号明細書
【特許文献３】米国特許第Ｕ．Ｓ．  ６，９３０，８８６号明細書
【特許文献４】米国特許第Ｕ．Ｓ．  ６，９４８，６９１号明細書
【考案の概要】
【考案が解決しようとする課題】
【０００５】
現在、サーバは、メンテナンス、取り付け、取り外しに利便を図るため、個別の電子部品でモジュール化されている。例えば、シャーシ内にメインマシンモジュール、ハードディスクモジュール、電源モジュール等を設置し、各モジュール間は線路で接続されている。各モジュール（例えばメインマシンモジュール）を取り外したい場合は、先ず各モジュール間の線路を取り外す。しかし、シャーシ内の線路は繁雑で空間が狭いため、線路を取り外す困難性があり、メンテナンスには多くの不便性がある。
【０００６】
本考案は、上述の問題に鑑みてなされたものであり、シャーシの長さを調整することで、シャーシ内サーバの部材及び各モジュールの取り付け、取り外し、及び組立ての利便を図るスライドレールキット、および当該スライドレールキットを用いるラックを提供することを目的とする。
【課題を解決するための手段】
【０００７】
本考案によるスライドレールキットは、ラックのシャーシに取り付けられているスライドレールキットである。ラックのシャーシは、第一シャーシと第二シャーシを有し、第一シャーシに固定部材が設けられており、第二シャーシにスライド部材が設けられている。スライドレールキットは、外レールと、内レールと、第一定位部材と、を備える。
内レールは、外レールに移動可能に設けられており、上壁、下壁、および、上壁と下壁との間を連接する側壁を有し、側壁に少なくとも一つの固定部および少なくとも一つのスライド部が設けられている。固定部は、互いに接続している第一取付孔および固定孔を有し、第一取付孔が固定孔の内径より大きい内径を有する。スライド部は、互いに接続している第二取付孔およびスライド溝を有し、第二取付孔がスライド溝の間隔より大きい内径を有する。第一定位部材は、内レールの側壁に設けられており、内レールの固定部に対応している。第一シャーシの固定部材が固定部の第一取付孔を貫通して固定孔まで移動し、第二シャーシのスライド部材がスライド部の第二取付孔を貫通してスライド溝まで移動するとき、第一定位部材は、第一シャーシの固定部材が固定孔から離脱することが抑制する。
【０００８】
また、第一定位部材は、弾性段と嵌合押圧部とを有する。嵌合押圧部は、弾性段に連接し、固定部の第一取付孔をカバーする。
【０００９】
本考案のスライドレールキットは、外レール、内レール、および第一定位部材を備える。外レールは、上壁、下壁、および、上壁と下壁とを連接する側壁を有する。内レールは、外レールに移動可能に連接されており、上壁、下壁、および、上壁と下壁とを連接する側壁を有し、側壁に少なくとも一つの固定部おとび少なくとも一つのスライド部が設けられている。固定部は、互いに接続している第一取付孔および固定孔を有し、第一取付孔が固定孔の内径より大きい内径を有する。スライド部は、互いに接続している第二取付孔およびスライド溝を有し、第二取付孔がスライド溝の間隔より大きい内径を有しており、スライド溝が固定孔の長さより大きい長さを有する。第一定位部材は、内レールの側壁に設けられており、弾性段と嵌合押圧部とを有し、弾性段が嵌合押圧部に連接し、嵌合押圧部が第一取付孔をカバーする。
【００１０】
また、外レールと内レールとの間に移動可能に連接されている中レールを更に備える。中レールにより、外レールに対して内レールを更に長く引き出すことが可能である。
【００１１】
本考案のラックは、本体、第一スライドレールキット、第二スライドレールキット、及びシャーシを備える。本体は、第一支持柱、第二支持柱、第三支持柱、及び第四支持柱を有する。第一スライドレールキットは、第一支持柱と第二支持柱との間に取り付けられている。第二スライドレールキットは、第三支持柱と第四支持柱との間に取り付けられている。第一スライドレールキットおよび第二スライドレールキットは、外レール、外レールに移動可能に設けられている内レールを有し、内レールが、外レールに対して伸縮可能であり、少なくとも一つの固定部および少なくとも一つのスライド部を有する。シャーシは、第一スライドレールキットと第二スライドレールキットとの間に設けられており、第一シャーシおよび第二シャーシを有する。第一シャーシは、内レールの固定部を取り付け可能な固定部材を有する。第二シャーシは、内レールのスライド部を移動可能に支持可能なスライド部材を有する。第二シャーシは、対応する第一シャーシと離間可能である。
【００１２】
固定部は、互いに連通している第一取付孔および固定孔を有する。第一取付孔は、固定孔の内径より大きい内径を有する。
【００１３】
スライド部は、互いに連通している第二取付孔およびスライド溝とを有する。第二取付孔は、スライド溝の間隔より大きい内径を有する。
【００１４】
スライド部は、係止部を有する。第二シャーシと第一シャーシとの間の距離が所定距離に達したとき、スライド部材が係止部に係止される。
【００１５】
本考案のスライドレールキットは、をスライドレールキットによってシャーシの長さを調整し、シャーシ内のサーバの各種線路の取り付け、取り外し、及び組立ての利便を図る効果を有する。
【図面の簡単な説明】
【００１６】
【図１】本考案の一実施形態によるラックのスライドレールキットを示す斜視図である。
【図２Ａ】本考案の一実施形態によるラックのスライドレールキットの分解斜視図である。
【図２Ｂ】本考案の一実施形態によるラックのスライドレールキットの固定部拡大図である。
【図２Ｃ】本考案の一実施形態によるラックのスライドレールキットのスライド部拡大図である。
【図３】本考案の一実施形態によるラックのスライドレールキットの組立て状態を示す模式図である。
【図４】本考案の一実施形態によるラックのスライドレールキットの取り付け状態を示す側面図である。
【図５】本考案の一実施形態によるラックのスライドレールキットの作動状態を示す側面図である。
【図６】本考案の一実施形態によるラックのスライドレールキットの作動状態を示す斜視図である。
【考案を実施するための形態】
【００１７】
（一実施形態）
本考案の一実施形態によるラックは、本体１０、第一スライドレールキット１２、第二スライドレールキット１４、及びシャーシ１６を備える。そのうち、本体１０は、第一支持柱１８ａ、第二支持柱１８ｂ、第三支持柱１８ｃ、及び第四支持柱１８ｄを備える。前記第一スライドレールキット１２は、第一支持柱１８ａと第二支持柱１８ｂとの間に連接し、第二スライドレールキット１４は、第三支持柱１８ｃと第四支持柱１８ｄとの間に連接し、シャーシ１６は、第一スライドレールキット１２と第二スライドレールキット１４との間に連接する。
【００１８】
第一スライドレールキット１２と第二スライドレールキット１４は対応させて配置し、第一スライドレールキット１２と第二スライドレールキット１４は少なくとも一つの外レール１９と一つの内レール２０を含み、前記内レール２０は外レール１９に対して軸方向にスライド移動する。更に詳細すると、前記外レール１９は上壁２２ａ、下壁２２ｂ、上壁２２ａと下壁２２ｂとの間に連接する側壁２４を備え、上壁２２ａ、下壁２２ｂ、及び側壁２４は共同で軸方向通路２６を形成し、内レール２０は外レール１９の軸方向通路２６内に可動形態で連接し、内レール２０は外レール１９に対して引っ張り出される。
【００１９】
最も好ましくは、外レール１９と内レール２０との間に中レール２８を更に連接することにより、内レール２０は中レール２８を用いて外レール１９に対して引っ張り出されるため、さらに長いストロークに延長できる。また、本実施形態は、実際の使用条件及びニーズに応じて、外レール１９に対して引っ張り出す内レール２０の初期ストロークを調整できる。例えば、ボルト２５を用いて中レール２８を外レール１９に固着することにより、中レール２８は引っ張り出せなくなり、内レール２０だけが引っ張り出し可能となる。
【００２０】
図２Ａ及び図３に示すとおり、シャーシ１６には、第一シャーシ３０、第二シャーシ３２、第一シャーシ３０の一方に連接する少なくとも一つの固定部材３４、及び第二シャーシ３２的一方に連接する少なくとも一つのスライド部材３６を備える。尚、前記第一シャーシ３０は、少なくとも一つの固定部材３４を用いて内レール２０に取り付ける。前記第二シャーシ３２は、少なくとも一つのスライド部材３６を用いて内レール２０に取り付ける。
【００２１】
内レール２０には、上壁３８ａ、下壁３８ｂ、及び上壁３８ａと下壁３８ｂとの間に連接する側壁４０をさらに備える。また、前記内レール２０の側壁４０は、少なくとも一つの固定部４２と少なくとも一つのスライド部４４を含み、少なくとも一つの固定部４２は、第一取付孔４６と固定孔４８とを備え、第一取付孔４６と固定孔４８は相通じており（図２Ｂ、２Ｃ参照）、しかも、第一取付孔４６の直径Ｄ１は固定孔４８の直径Ｄ２を超える。少なくとも一つのスライド部４４には第二取付孔５０とスライド溝５２とを備え、第二取付孔５０とスライド溝５２とは相通じ、第二取付孔５０の直径Ｄ３はスライド溝５２の幅Ｗ１を超える。ここで注意すべき点は、スライド溝５２の長さＬ２は固定孔４８の長さＬ１を超えることである。
【００２２】
更に詳細すると、少なくとも一つの固定部材３４は、少なくとも一つの固定部４２の第一取付孔４６を貫通し固定孔４８まで移動して、第一シャーシ３０を内レール２０に取り付ける。また、少なくとも一つのスライド部材３６は少なくとも一つのスライド部４４の第二取付孔５０を貫通しスライド溝５２まで移動して、第二シャーシ３２を内レール２０に取り付ける。
【００２３】
一実施形態において、それぞれを内レール２０に連接させる第一定位部材５４と第二定位部材５５を備える。前記第一定位部材５４は、内レール２０の少なくとも一つの固定部４２に対応させ、前記第二定位部材５５は、内レール２０の少なくとも一つのスライド部４４に対応させる。
【００２４】
前記第一定位部材５４には、弾性段５６、及び弾性段５６に連接する嵌合押圧部５８を備える。最も好ましくは、嵌合押圧部５８は弾性段５６から延長させる。嵌合押圧部５８は、第一取付孔４６をカバーし、少なくとも一つの固定部材３４は第一定位部材５４の働きによって第一取付孔４６から自由に離脱できない。更に詳細すると、取付時、少なくとも一つの固定部材３４は第一取付孔４６を通過し、尚且つ第一定位部材５４を押圧して支える。少なくとも一つの固定部材３４が固定孔４８まで移動した後に初めて、少なくとも一つの固定部材３４は第一定位部材５４を押圧し支える関係を解除する。第一定位部材５４は、弾性段５６の弾力を用いて、第一取付孔４６をカバーし、これにより、少なくとも一つの固定部材３４は第一定位部材５４の働きを受けて第一取付孔４６内から自由に離脱できなくなる。少なくとも一つの固定部材３４を第一取付孔４６から離脱させたい場合は、第一定位部材５４を内レール２０に対して引っ張って開くと、少なくとも一つの固定部材３４は即刻、固定孔４８から第一取付孔４６に移動し離脱させることができる。
【００２５】
同様の理論において、第二定位部材５５は前記第一定位部材５４と同様に配置するため、ここでは説明を省く。
【００２６】
図４及び図５に示すとおり、第一シャーシ３０の少なくとも一つの固定部材３４は第一取付孔４６を通過し固定孔４８まで移動する。それと同時に、第一定位部材５４第一取付孔４６をカバーするため、少なくとも一つの固定部材３４は固定孔４８から離脱できなくなり、即ち、第一シャーシ３０は固定される。
【００２７】
内レール２０の少なくとも一つのスライド部４４は、係止部６０を含む。少なくとも一つのスライド部材３６は第二取付孔５０を貫通し、スライド溝５２まで移動すると同時に、第二定位部材５５は第二取付孔５０をカバーする。これにより、少なくとも一つのスライド部材３６は、スライド溝５２から離脱できなくなり、即ち、少なくとも一つのスライド部材３６は、スライド溝５２内で制限されて一定の距離Ｓ１を移動する。言い換えれば、図６に示した通り、外力Ｆを第二シャーシ３２に加えると、第二シャーシ３２は第一シャーシ３０に対して移動する。即ち、第二シャーシ３２が対応する第一シャーシ３０をスライドして最大距離まで移動した時、少なくとも一つのスライド部材３６は係止部６０を圧する。それに対して、図４に示す通り、第二シャーシ３２が第一シャーシ３０方向にスライドする時、少なくとも一つのスライド部材３６は第二定位部材５５の嵌合押圧部５８を圧する。
【００２８】
前述した通り、本実施形態は、内レール２０の少なくとも一つのスライド部４４に貫通させる少なくとも一つのスライド部材３６の配置により、内レール２０の別の使用機能をさらに増加させている。また、本実施形態は、シャーシ１６内に配置した部品或いはモジュール間線路の繁雑さと空間の狭さ、及び部品交換の際に線路を外し難い問題を効果的に解決する。
【００２９】
本実施形態は、前述に開示した通りであるが、これは本実施形態に制約を加えるものではなく、本実施形態によって保護される範囲は、実用新案登録請求の範囲を基準とする。
【符号の説明】
【００３０】
１０    本体、
１２    第一スライドレールキット、
１４    第二スライドレールキット、
１６    シャーシ、
１８ａ    第一支持柱、
１８ｂ    第二支持柱、
１８ｃ    第三支持柱、
１８ｄ    第四支持柱、
１９    外レール、
２０    内レール、
２２ａ    上壁、
２２ｂ    下壁、
２４    側壁、
２５    ボルト、
２６    軸方向通路、
２８    中レール、
３０    第一シャーシ、
３２    第二シャーシ、
３４    固定部材、
３６    スライド部材、
３８ａ    上壁、
３８ｂ    下壁、
４０    側壁、
４２    固定部、
４４    スライド部、
４６    第一取付孔、
４８    固定孔、
５０    第二取付孔、
５２    スライド溝、
５４    第一定位部材、
５５    第二定位部材、
５６    弾性段、
５８    嵌合押圧部、
６０    係止部、
Ｓ１    距離、
Ｆ    外力、
Ｄ１    直径、
Ｄ２    直径、
Ｄ３    直径、
Ｗ１    幅、
Ｌ１    長さ、
Ｌ２    長さ。
【図１】
0003188394.tif 000003
【図２Ａ】
0003188394.tif 000004
【図２Ｂ】
0003188394.tif 000005
【図２Ｃ】
0003188394.tif 000006
【図３】
0003188394.tif 000007
【図４】
0003188394.tif 000008
【図５】
0003188394.tif 000009
【図６】
0003188394.tif 000010